(57)【特許請求の範囲】
【請求項１】
取水口のスクリーンに滞留した塵芥を熊手で掻き揚げる除塵装置であって、
前記熊手は、１つの棒状体の先端にレーキが設けられ、
前記スクリーンの上方に設けられ、前記スクリーンの幅方向に沿って水平に延びる長尺の下部ガイドレールと、
前記下部ガイドレールの上方に設けられ、前記下部ガイドレールに沿って水平に延びる長尺の上部ガイドレールと、
前記下部ガイドレールに沿って摺動自在な下部移動体と、
前記上部ガイドレールに沿って摺動自在な上部移動体と、
連結バーと開閉レバーとを介して前記下部移動体に連結され、前記熊手の棒状体を摺動自在に支持する下部支持体と、
水平軸回りに回動自在に前記上部移動体に連結され、前記熊手の棒状体を摺動自在に支持する上部支持体と、
前記熊手のレーキを昇降させる昇降駆動手段と、を備え、
前記連結バーの一端部が水平軸回りに回動自在に前記下部支持体に連結され、前記連結バーの他端部が水平軸回りに回動自在に前記開閉レバーに連結され、かつ、前記開閉レバーの基端部が水平軸回りに回動自在に前記下部移動体に連結され、
前記開閉レバーが前記下部支持体側に向けて立ち上げられると、前記上部移動体が時計回り方向に回動して前記熊手の棒状体が時計回りに回動し、前記開閉レバーが前記下部支持体から離れるように寝かせられると、前記上部移動体が反時計回り方向に回動して前記熊手の棒状体が反時計回りに回動することで、前記スクリーンに対する前記熊手の角度が変わる、ことを特徴とする除塵装置。
【請求項２】
前記開閉レバーの回動を所定の位置で固定することで、前記上部支持体の回動を所定の位置で固定する固定手段を備える、
ことを特徴とする請求項１に記載の除塵装置。
【請求項３】
人が前記スクリーン側に転落するのを防止可能なように、前記下部ガイドレールの高さが設定されている、
ことを特徴とする請求項１または２のいずれか１項に記載の除塵装置。
【請求項４】
前記上部ガイドレールは、前記下部ガイドレールに比べて長く、かつ、少なくとも一端部が前記下部ガイドレールから突出するように配置されると共に他端部が下部ガイドレールの他端部と同位置に配置され、
前記上部ガイドレールの一端部において、前記下部移動体が前記下部ガイドレールから外れて、前記熊手がほぼ垂直に延びて前記上部ガイドレールの下側に前記熊手のレーキが格納されるようになっている、
ことを特徴とする請求項１から３のいずれか１項に記載の除塵装置。
【請求項５】
前記昇降駆動手段は、電動チェーンブロックで構成されて前記下部支持体に配設されている、
ことを特徴とする請求項１から４のいずれか１項に記載の除塵装置。
【発明の詳細な説明】
【技術分野】
【０００１】
この発明は、取水口のスクリーンに滞留・付着した塵芥を除去する除塵装置に関する。
【背景技術】
【０００２】
水力発電所などの取水口には、ゴミや流木などの塵芥が流入するのを防止するためのスクリーンが設置され、発電取水に塵芥が混入しないようになっている。そして、スクリーンに塵芥が滞留した場合には、人が熊手（棒にレーキが取り付けられたもの）を使用して、塵芥をスクリーンの上部に掻き揚げていた。しかしながら、この除塵作業は、重労働で、しかも、河川などに転落するおそれがあった。このため、通常は除塵機を設置して、人力によらずに除塵作業を行うが、従来の通常の除塵機は大型で自動化されているため、スペースが狭い場所には設置できない、高額である、などといった問題がある。
【０００３】
このため、例えば、比較的小さな水路において、ごみや流木等を確実に掻き揚げることができる、という除塵機が知られている（例えば、特許文献１参照。）。この除塵機は、レーキから延びる２本の摺動部材（棒材）が直進案内手段によって昇降自在に保持され、直進案内手段は、人の高さよりも上に配設されたガイドレールに沿って移動自在となっている。また、電動式油圧シリンダ装置によって直進案内手段およびレーキの角度が調整自在で、電動ウインチによってレーキを昇降させるものである。
【先行技術文献】
【特許文献】
【０００４】
【特許文献１】特開２００４−０３６１４７号公報
【発明の概要】
【発明が解決しようとする課題】
【０００５】
ところで、特許文献１の除塵機では、電動式油圧シリンダ装置によって直進案内手段の角度を調整するため、全体が大型化、重量化するばかりでなく、電動式油圧シリンダ装置が故障した場合には、除塵作業が行えず、しかも、早急な復旧が困難である。また、２本の摺動部材を備えてこれを直進案内手段によって保持する必要があるため、構造が複雑で、しかも、幅が大きくなるため、スペースが狭い場所には設置できない場合がある。さらに、ガイドレールから吊り下がるようにして直進案内手段や摺動部材、電動式油圧シリンダ装置などが配設されているため、流速が速い箇所や揚程が比較的高い箇所においては、レーキの安定した昇降（除塵）が困難なおそれがある。
【０００６】
そこでこの発明は、小型化が可能で、使い勝手などがよい除塵装置を提供することを目的とする。
【課題を解決するための手段】
【０００７】
上記の課題を解決するために、請求項１の発明は、取水口のスクリーンに滞留した塵芥を熊手で掻き揚げる除塵装置であって、前記熊手は、１つの棒状体の先端にレーキが設けられ、前記スクリーンの上方に設けられ、前記スクリーンの幅方向に沿って水平に延びる長尺の下部ガイドレールと、前記下部ガイドレールの上方に設けられ、前記下部ガイドレールに沿って水平に延びる長尺の上部ガイドレールと、前記下部ガイドレールに沿って摺動自在な下部移動体と、前記上部ガイドレールに沿って摺動自在な上部移動体と、連結バーと開閉レバーとを介して前記下部移動体に連結され、前記熊手の棒状体を摺動自在に支持する下部支持体と、水平軸回りに回動自在に前記上部移動体に連結され、前記熊手の棒状体を摺動自在に支持する上部支持体と、前記熊手のレーキを昇降させる昇降駆動手段と、を備え、前記連結バーの一端部が水平軸回りに回動自在に前記下部支持体に連結され、前記連結バーの他端部が水平軸回りに回動自在に前記開閉レバーに連結され、かつ、前記開閉レバーの基端部が水平軸回りに回動自在に前記下部移動体に連結され、前記開閉レバーが前記下部支持体側に向けて立ち上げられると、前記上部移動体が時計回り方向に回動して前記熊手の棒状体が時計回りに回動し、前記開閉レバーが前記下部支持体から離れるように寝かせられると、前記上部移動体が反時計回り方向に回動して前記熊手の棒状体が反時計回りに回動することで、前記スクリーンに対する前記熊手の角度が変わる、ことを特徴とする。
【０００８】
この発明によれば、下部ガイドレールと上部ガイドレールとに沿って下部移動体と上部移動体とを摺動させて、熊手を所望の位置に移動し、昇降駆動手段で熊手のレーキを上昇させると、熊手の棒状体が下部支持体と上部支持体とで支持されながら、レーキがスクリーンに滞留した塵芥を掻き揚げる。また、手動で開閉レバーを動かすとスクリーンに対する熊手の角度が変わり、例えば、レーキを降ろす際には、レーキをスクリーンから離すように角度を変える。
【０００９】
請求項２の発明は、請求項１に記載の除塵装置において、前記開閉レバーの回動を所定の位置で固定することで、前記上部支持体の回動を所定の位置で固定する固定手段を備える、ことを特徴とする。
【００１０】
請求項３の発明は、請求項１または２に記載の除塵装置において、人が前記スクリーン側に転落するのを防止可能なように、前記下部ガイドレールの高さが設定されている、ことを特徴とする。
【００１１】
請求項４の発明は、請求項１から３に記載の除塵装置において、前記上部ガイドレールは、前記下部ガイドレールに比べて長く、かつ、少なくとも一端部が前記下部ガイドレールから突出するように配置されると共に他端部が下部ガイドレールの他端部と同位置に配置され、前記上部ガイドレールの一端部において、前記下部移動体が前記下部ガイドレールから外れて、前記熊手がほぼ垂直に延びて前記上部ガイドレールの下側に前記熊手のレーキが格納されるようになっている、ことを特徴とする。
【００１２】
請求項５の発明は、請求項１から４に記載の除塵装置において、前記昇降駆動手段は、電動チェーンブロックで構成されて前記下部支持体に配設されている、ことを特徴とする。
【発明の効果】
【００１３】
請求項１の発明によれば、熊手が１つの棒状体で構成され、棒状体を下部支持体と上部支持体とで支持する構成のため、幅を小さくして小型化が可能となり、スペースが狭い場所にも設置することが可能となる。また、熊手の角度を変えるための動力（シリンダ等）を要しないため、さらに小型化、軽量化が可能となり、しかも、故障の心配がない。さらに、状況に応じて開閉レバーを動かすだけで、容易に熊手の角度を任意に変えることができるため、使い勝手がよい。また、熊手の棒状体が下部支持体と上部支持体とで支持されながら、レーキが昇降するため、流速が速い箇所や揚程が比較的高い箇所においても、レーキの安定した昇降（除塵）が可能となる。
【００１４】
請求項２の発明によれば、前記開閉レバーの回動を所定の位置で固定することで、固定手段によって上部支持体の回動（回動角）、つまり、スクリーンに対する熊手の角度を所定の位置で固定できるため、塵芥を避けながらのレーキの降下や、塵芥を掻き揚げながらのレーキの上昇などを、所定の角度で安定して行うことが可能となる。
【００１５】
請求項３の発明によれば、人がスクリーン側に転落するのを防止可能なように、下部ガイドレールの高さが設定されているため、作業者などが誤ってスクリーン側に転落するのを防止することができ、安全性が高まる。
【００１６】
請求項４の発明によれば、上部ガイドレールの一端部において、下部移動体を下部ガイドレールから外して、熊手をほぼ垂直に延ばせるため、除塵装置を使用しない場合や網場を昇降させる場合などに、熊手が邪魔にならないようにほぼ垂直に延ばして格納することができる。
【００１７】
請求項５の発明によれば、昇降駆動手段が電動チェーンブロックで構成されて下部支持体に配設されているだけであるため、構成が簡易となり、より小型化、低費用化が可能となる。
【図面の簡単な説明】
【００１８】
【図１】この発明の実施の形態に係る除塵装置を示す側面図である。
【図２】図１の除塵装置の正面図である。
【図３】図１の除塵装置の設置状態を示す側面図である。
【図４】図１の除塵装置の設置状態を示す正面図である。
【図５】図１の除塵装置の設置状態を示す平面図である。
【図６】図１の除塵装置の熊手を示す正面図（ａ）と側面図（ｂ）である。
【図７】図１の除塵装置の下部移動体を示す平面図（図２のＣ−Ｃから見た図）である。
【図８】図１の除塵装置の上部移動体を示す平面図（図２のＡ−Ａから見た図）である。
【図９】図１の除塵装置の下部移動体および下部支持体の周辺を示す拡大図である。
【図１０】図１の除塵装置の連結バーの周辺を示す平面図（図２のＢ−Ｂから見た図）である。
【図１１】図１の除塵装置の上部支持体の周辺を示す拡大図である。
【図１２】図１の除塵装置の熊手の各位置の状態を示す図であり、（ａ）は開限位置、（ｂ）は休止位置、（ｃ）は格納位置を示す。
【発明を実施するための形態】
【００１９】
以下、この発明を図示の実施の形態に基づいて説明する。
【００２０】
図１および図２は、この発明の実施の形態に係る除塵装置１を示す側面図と正面図である。この除塵装置１は、図３〜図５に示すように、水力発電所などの取水口１００の上に設置され、取水口１００の開口前面に配設されたスクリーン１０１に滞留した、ゴミや流木などの塵芥を掻き揚げる装置であり、主として、熊手２と、下部ガイドレール３１および上部ガイドレール３２と、下部移動体４１および上部移動体４２と、下部支持体５１および上部支持体５２と、電動チェーンブロック（昇降駆動手段）６と、開閉レバー（ハンドル、連結体）７１と、固定ユニット（固定手段）７２と、を備える。
【００２１】
熊手２は、図６に示すように、１つの棒状体２１の先端に、櫛状のレーキ２２が配設されて構成されている。ここで、棒状体２１の長さは、レーキ２２がスクリーン１０１の下端から上端まで昇降できるように設定されている。また、レーキ２２の大きさおよび形状は、一度の上昇でスクリーン１０１に滞留した所定量の塵芥を掻き揚げられるように、設定されている。
【００２２】
このレーキ２２は、棒状体２１に着脱自在で、背面側（塵芥Ｇを掻き取る面の反対側）には、後述する電動チェーンブロック６のチェーン６１を接続するための接続部材２３が取り付けられている。さらに、レーキ２２の先端部の背面側には、２つのガイドローラ２４が回転自在に取り付けられ、後述するようにしてレーキ２２が取水台１０２側に突出した際に、ガイドローラ２４が取水台１０２に沿って回転することで、レーキ２２が円滑に移動するようになっている。
【００２３】
下部ガイドレール３１は、図３〜図５に示すように、スクリーン１０１の上方に設けられ、スクリーン１０１の幅方向に沿って水平に延びる長尺のレールである。具体的には、断面が四角形状の中空棒体で構成され、取水口１００の上の取水台１０２に設置された複数のポール３３に支持されて、水平に延びて配設されている。また、下部ガイドレール３１の配設高さは、人がスクリーン１０１側に転落するのを防止可能なように、例えば、平均的な体型の人の腰の辺りに、設定されている。一方、下部ガイドレール３１の長さは、後述するようにして、熊手２を移動させてスクリーン１０１全面の除塵が行えるように、設定されている。
【００２４】
上部ガイドレール３２は、下部ガイドレール３１の上方に設けられ、下部ガイドレール３１に沿って水平に延びる長尺のレールである。具体的には、断面が四角形状の中空棒体で構成され、図１に示すように、取水台１０２に設置された既設の網場架台１０３に支持されて、水平に延びて配設されている。すなわち、柱状の網場架台１０３がスクリーン１０１の幅方向に沿って複数設置され、各網場架台１０３にスクリーン１０１側に水平に延びるレール支持材３４が配設されている。そして、各レール支持材３４の上面に設けられた支持部３５に支持されて、上部ガイドレール３２が配設されている。
【００２５】
この上部ガイドレール３２は、下部ガイドレール３１よりも反スクリーン１０１側に設置されている。つまり、下部ガイドレール３１と上部ガイドレール３２とが、段違い平行棒のように配設され、下部ガイドレール３１と上部ガイドレール３２とを含む面の傾斜方向が、スクリーン１０１の面の傾斜方向と同方向になるようになっている。
【００２６】
また、図４に示すように、上部ガイドレール３２の一端部３２ａが、下部ガイドレール３１の一端部から突出して配設され、後述するようにして、この端部３２ａにおいて熊手２を格納できるようになっている。ここで、この一端部３２ａは、スクリーン１０１の外側に位置し、熊手２による除塵を行わない領域となっている。また、上部ガイドレール３２の他端部は、下部ガイドレール３１の他端部とほぼ同位置となっている。
【００２７】
下部移動体４１は、下部ガイドレール３１に沿って摺動自在な移動体であり、図７に示すように、略正三角形の下部主板４１１の各角部に、下部ローラ４１２が垂直軸回りに回転自在に配設されている。そして、１つの下部ローラ４１２と２つの下部ローラ４１２とで下部ガイドレール３１を挟持した状態で、各下部ローラ４１２が回転することで、下部ガイドレール３１に沿って摺動（移動）自在となっている。
【００２８】
また、下部主板４１１には、下部ガイドレール３１の一側面（反熊手２側の側面）に対向する下部側板４１３が配設され、この下部側板４１３に、２つの横行ロックネジ４１４が螺合されている。そして、横行ロックネジ４１４の横行ロックハンドル４１５を回して横行ロックネジ４１４を下部ガイドレール３１に締め付ける（押圧する）ことで、下部移動体４１を任意の位置で固定できるようになっている。
【００２９】
上部移動体４２は、上部ガイドレール３２に沿って摺動自在な移動体であり、図８に示すように、略三角形の上部主板４２１の各角部に、上部ローラ４２２が垂直軸回りに回転自在に配設されている。そして、１つの上部ローラ４２２と２つの上部ローラ４２２とで上部ガイドレール３２を挟持した状態で、各上部ローラ４２２が回転することで、上部ガイドレール３２に沿って摺動（移動）自在となっている。さらに、上部主板４２１の上面には、２つの第２の上部ローラ４２３が水平軸回りに回転自在に配設され、この第２の上部ローラ４２３が、上部ガイドレール３２の上面に接して回転するようになっている。
【００３０】
このような下部移動体４１と上部移動体４２とは、図１に示すように、連結柱４３によって連結されている。
【００３１】
下部支持体５１は、連結バー（連結体）８１と開閉レバー７１を介して下部移動体４１に連結され、熊手２の棒状体２１を摺動自在に支持する支持体である。すなわち、図９、図１０に示すように、棒状体２１の両側面を挟むように配設された２つの下部支持板５１１間に、２つの上部支持ローラ５１２が水平軸回りに回転自在に配設されている。そして、上部支持ローラ５１２が棒状体２１の上下面に接して回転支持することで、棒状体２１が下部支持体５１に対して摺動（移動）自在となっている。
【００３２】
また、下部支持板５１１には、連結バー８１の一端部が水平軸回りに回転自在に連結され、さらに、連結バー８１の他端部が、開閉レバー７１の略中央の連結部７１１に水平軸回りに回転自在に連結されている。一方、開閉レバー７１の基端部が、下部移動体４１の下部主板４１１の上面に設けられた連結部４１６に、水平軸回りに回転自在に連結されている。このようにして、開閉レバー７１が連結バー８１に設けられ、回動（可動）自在となっている。
【００３３】
このように、下部支持体５１が、連結バー８１と開閉レバー７１を介して下部移動体４１に連結され、開閉レバー７１の連結部７１１から基端部までが、連結バー８１とともに連結体を構成している。
【００３４】
上部支持体５２は、水平軸回りに回動自在に上部移動体４２に連結され、熊手２の棒状体２１を摺動自在に支持する支持体である。すなわち、図１１に示すように、棒状体２１の両側面を挟むように配設された２つの上部支持板５２１間に、２つの上部支持ローラ５２２が水平軸回りに回転自在に配設されている。そして、上部支持ローラ５２２が棒状体２１の上下面に接して回転支持することで、棒状体２１が上部支持体５２に対して摺動（移動）自在となっている。
【００３５】
また、上部支持板５２１には、上部移動体４２側に突出した回転支持部５２３が設けられ、この回転支持部５２３が、上部移動体４２の上部主板４２１の上面に設けられた連結部４２４に、水平軸回りに回転自在に連結されている。このようにして、上部支持体５２が上部移動体４２に連結され、水平軸回りに回動自在となっている。
【００３６】
このような下部支持体５１と上部支持体５２とは、図９、図１１に示すように、断面がコ字状の棒体である熊手ガイド５３によって連結され、この熊手ガイド５３で支持体５１、５２間の棒状体２１が覆われるようになっている。また、下部支持体５１と上部支持体５２との距離は、レーキ２２に強い水圧がかかっても、熊手２の棒状体２１を安定して支持して、レーキ２２による塵芥の掻き揚げを安定して行えるように設定されている。
【００３７】
そして、開閉レバー７１を人が手で動かすことで上部支持体５２が回動して、スクリーン１０１に対する熊手２の棒状体２１の角度（レーキ２２とスクリーン１０１との距離や接触強さ）を任意に変えられるようになっている。すなわち、開閉レバー７１を立ち上げるようにして（反時計回りに）回動させると、連結バー８１で下部支持体５１が押し上げられて上部支持体５２が時計回りに回動して、熊手２の棒状体２１も時計回りに回動する。例えば、開閉レバー７１を垂直に立ち上げると（開限位置）、図１２（ａ）に示すように、水平面に対する棒状体２１の傾斜角が６７°となる。ここで、水平面に対するスクリーン１０１の傾斜角を６８．２°とする。
【００３８】
また、開閉レバー７１を寝かせるようにして（時計回りに）回動させると、連結バー８１で下部支持体５１が引き下げられて上部支持体５２が反時計回りに回動して、熊手２の棒状体２１も反時計回りに回動する。例えば、開閉レバー７１を下限まで下げると（休止位置）、図１２（ｂ）に示すように、水平面に対する棒状体２１の傾斜角が８１°となる。この際、図９に示すように、下部移動体４１の下部主板４１１の上面に設けられた休止ロックピン４１７を、下部ガイドレール３１の所定位置（休止場所）に設けられた休止孔に挿入することで、除塵装置１が休停止するようになっている。
【００３９】
また、上部ガイドレール３２の一端部３２ａに上部移動体４２が位置する状態では（格納位置）、図１２（ｃ）に示すように、下部移動体４１が下部ガイドレール３１から外れて、上部支持体５２がさらに反時計回りに回動して、自重によって熊手２の棒状体２１が、ほぼ垂直に延びるようになっている。このようにして、上部ガイドレール３２の一端部３２ａにおいて、熊手２が格納されるものである。
【００４０】
電動チェーンブロック６は、熊手２のレーキ２２を昇降させる電動機であり、下部支持体５１に配設されている。すなわち、図１に示すように、下部支持体５１の上面に本体６２が配設されて人の腰辺りに位置し、チェーン６１の先端が熊手２の接続部材２３に接続されている。そして、チェーン６１を巻き出したり巻き取ったりすることで、レーキ２２（熊手２）が降下したり上昇したりするものである。また、本体６２を遠隔操作するための押ボタンスイッチ６３は、連結柱４３の中央部に配設された水平バー４３１に配置されている。
【００４１】
一方、図１、図４に示すように、各レール支持材３４の下面に、上部ガイドレール３２と平行に延びるケーブルガイドレール６４が配設されている。そして、図２に示すように、このケーブルガイドレール６４に、電動チェーンブロック６の電源ケーブル６５に取り付けられた複数のケーブル滑車６６が移動自在に配設されて、電源ケーブル６５がケーブルガイドレール６４に沿って移動・伸縮自在となっている。また、電動チェーンブロック６には、熊手２の上限位置を規定するための上限リミットが設けられている。
【００４２】
固定ユニット７２は、上部支持体５２の回動を所定の位置で固定するユニットであり、図９に示すように、固定板７２１と開閉ロックピン７２２とを備えている。固定板７２１は、略円板形で、下部移動体４１の下部主板４１１の上面に、板面が垂直に延びるように配設されている。また、固定板７２１には、円弧軌跡に沿って複数のロック孔７２１ａが形成されている。開閉ロックピン７２２は、ピン・ロッド状で、固定板７２１に対して出し入れ自在に開閉レバー７１に配設され、固定板７２１側がロック孔７２１ａに挿入可能となっている。
【００４３】
そして、開閉レバー７１を所定・所望の角度まで回動させて、開閉ロックピン７２２を所定・所望のロック孔７２１ａに挿入することで、開閉レバー７１が所定・所望の角度で固定される。これにより、上部支持体５２および熊手２（レーキ２２）の回動が所定・所望の位置で固定されるものである。
【００４４】
ここで、ロック孔７２１ａの形成位置は、スクリーン１０１に対する熊手２の角度が所定角になるように設定されている。例えば、レーキ２２を降下させる際に（上記図１２（ａ）の開限位置で）、スレーキ２２がクリーン１０１から離れてスクリーン１０１に滞留した塵芥を避けられるように、１つの孔位置が設定されている。また、レーキ２２の上昇させる際に、スクリーン１０１に滞留した塵芥を適正に掻き揚げられるように（スクリーン１０１に対してレーキ２２が鋭角になるように）、１つの孔位置が設定されている。このとき、熊手２の自重によってレーキ２２の先端部がスクリーン１０１を押圧しながら上昇し、スクリーン１０１の上端を超えた際に、勢いでレーキ２２が取水台１０２側に突出して、レーキ２２内の塵芥を取水台１０２にふるい落とせるようになっている。さらに、上記の休止位置（図１２（ｂ））と格納位置（図１２（ｃ））において、熊手２を固定できるようにそれぞれロック孔７２１ａが形成されている。
【００４５】
次に、このような構成の除塵装置１による除塵作業などについて説明する。
【００４６】
スクリーン１０１に滞留した塵芥を除塵する場合、まず、除塵装置１をガイドレール３１、３２に沿って所望の除塵箇所まで移動させ、横行ロックハンドル４１５を回して横行ロックネジ４１４を締め付けて、除塵装置１を固定する。次に、上記のように、開閉レバー７１を立ち上げるようにして回動させ、熊手２の棒状体２１を寝かせて、スクリーン１０１に滞留した塵芥に触れないように、レーキ２２をスクリーン１０１から離す。このとき、この位置（例えば、上記図１２（ａ）の開限位置）で固定ユニット７２による固定ができる場合には、開閉ロックピン７２２をロック孔７２１ａに挿入して、熊手２の角度を固定する。
【００４７】
この状態で、電動チェーンブロック６を起動して、レーキ２２をスクリーン１０１の下端まで降下させる。次に、上記のように、開閉レバー７１を寝かせるように回動させて、熊手２のレーキ２２の先端部をスクリーン１０１に接触させる。続いて、電動チェーンブロック６を起動して、レーキ２２をスクリーン１０１の上端まで上昇させると、熊手２の自重によってレーキ２２がスクリーン１０１を押圧しながら塵芥を掻き揚げ、上記のように、レーキ２２内の塵芥が取水台１０２にふるい落とされる。この際、作業者Ｍが開閉レバー７１を調整、保持して、レーキ２２とスクリーン１０１との接触強さを調整する。あるいは、この位置で固定ユニット７２による固定ができる場合には、開閉ロックピン７２２をロック孔７２１ａに挿入して、レーキ２２の位置、接触強さを固定してもよい。
【００４８】
このような除塵作業をすべての除塵箇所に対して行い、除塵作業を休止する場合には、図１２（ｂ）に示すように、開閉レバー７１を下限まで下げて熊手２の棒状体２１を立ち上げ、固定ユニット７２で熊手２の回動を固定する。さらに、下部ガイドレール３１の所定の休止場所まで除塵装置１を移動し、休止ロックピン４１７を下部ガイドレール３１の休止孔に挿入して、除塵装置１を休停止させる。
【００４９】
また、網場を昇降させる場合など、除塵装置１を格納する必要がある場合には、上部ガイドレール３２の一端部３２ａに上部移動体４２が位置するまで除塵装置１を移動する。これにより、図１２（ｃ）に示すように、下部移動体４１が下部ガイドレール３１から外れて、熊手２の棒状体２１がほぼ垂直に延び、熊手２が格納されるものである。
【００５０】
以上のように、本除塵装置１によれば、作業者Ｍがすべて人力で除塵する場合に比べて、作業者Ｍの労力・負担を大きく軽減することができ、作業時間を大きく短縮することができる。そして、除塵作業に要する時間を短縮できる結果、取水を早期に復旧させて発電量を増加させることが可能となる。
【００５１】
また、熊手２が１つの棒状体２１で構成され、棒状体２１を下部支持体５１と上部支持体５２とで支持する構成のため、幅を小さくして小型化が可能となり、スペースが狭い場所にも設置することが可能となる。さらに、熊手２の角度を変えるための動力（シリンダ等）を要しないため、より小型化、軽量化が可能となり、しかも、故障の心配がない。また、熊手２の棒状体２１が、上記のような距離を隔てた下部支持体５１と上部支持体５２とで支持されながら、レーキ２２が昇降するため、流速が速い箇所や揚程が比較的高い箇所においても、レーキ２２の安定した昇降（除塵）が可能となる。
【００５２】
一方、開閉レバー７１を手で回動するだけで、容易に熊手２の角度・位置を任意に変えることができるため、使い勝手がよい。しかも、作業者Ｍが開閉レバー７１を回動、保持して、レーキ２２とスクリーン１０１との接触強さを調整することができるため、スクリーン１０１に対する塵芥の付着量や付着状態などに応じて、接触強さを調整して適正かつ容易に除塵することが可能となる。
【００５３】
また、固定ユニット７２によって上部支持体５２の回動（回動角）、つまり、スクリーン１０１に対する熊手２の角度・位置を所定の位置で固定することができる。このため、例えば、塵芥を避けながらのレーキ２２の降下や、塵芥を掻き揚げながらのレーキ２２の上昇などを、所定の角度で安定して行うことが可能となる。同様に、固定ユニット７２によって、熊手２の角度・位置を開限位置や休止位置において確実に固定することができる。
【００５４】
さらに、上部ガイドレール３２の一端部３２ａにおいて、下部移動体４１を下部ガイドレール３１から外して、熊手２の棒状体２１をほぼ垂直に延ばせるため、除塵装置１を使用しない場合や網場を昇降させる場合などに、熊手２が邪魔にならないようにほぼ垂直に延ばして格納することができる。
【００５５】
一方、人がスクリーン１０１側に転落するのを防止可能なように、下部ガイドレール３１の高さが設定されているため、作業者Ｍなどが誤ってスクリーン１０１側に転落するのを防止することができ、安全性が高まる。また、昇降駆動手段としての電動チェーンブロック６が下部支持体５１に配設されているだけであるため、構成が簡易となり、より小型化、製作費の低費用化が可能となる。しかも、電動チェーンブロック６が人の腰辺りに位置するため、電動チェーンブロック６のチェーン６１に作業者Ｍなどが接触することが抑制され、安全性が高まる。
【００５６】
そして、上記のようにして小型化、軽量化が可能なため、作業者Ｍが容易に移動させたり、除塵作業したりすることができ、使い勝手がよい。また、全自動ではなく作業者Ｍを補助しながら、作業者Ｍが移動させたり操作したりするものであるため、構成が簡易であるばかりでなく、作業者Ｍの感覚や作業状況などに合った柔軟な操作等が可能で、より使い勝手がよい。
【００５７】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、開閉レバー７１の一部が連結体を構成しているが、開閉レバー７１が連結体を構成しないようにしてもよい。例えば、屈伸・伸縮するリンク状の連結体で下部移動体４１と下部支持体５１とを直接連結し、この連結体に開閉レバー７１を連結して、開閉レバー７１で連結体を屈伸させることで、上部支持体５２および熊手２を回動させるようにしてもよい。
【符号の説明】
【００５８】
１        除塵装置
２        熊手
２１      棒状体
２２      レーキ
３１      下部ガイドレール
３２      上部ガイドレール
３２ａ    一端部
４１      下部移動体
４２      上部移動体
５１      下部支持体
５２      上部支持体
６        電動チェーンブロック（昇降駆動手段）
７１      開閉レバー（ハンドル）
７２      固定ユニット（固定手段）
８１      連結バー（連結体）
１００    取水口
１０１    スクリーン
Ｍ        作業者
【図１】
0006641168.tif 000002
【図２】
0006641168.tif 000003
【図３】
0006641168.tif 000004
【図４】
0006641168.tif 000005
【図５】
0006641168.tif 000006
【図６】
0006641168.tif 000007
【図７】
0006641168.tif 000008
【図８】
0006641168.tif 000009
【図９】
0006641168.tif 000010
【図１０】
0006641168.tif 000011
【図１１】
0006641168.tif 000012
【図１２】
0006641168.tif 000013